(57)【特許請求の範囲】
【請求項１】
農業用水路の分水口に設けられる、ガイド部材と、前記ガイド部材により支持されたゲート体と、からなる分水ロゲートであって、
前記ガイド部材は、分水口孔と、両側端にゲート体係止部と、を備え、
前記ゲート体は、
前記分水口孔を塞ぎ、前記分水口孔を塞ぐ面に前記分水口孔の縁に密着するシール部材が固着された扉体と、
前記扉体を前記分水口孔に押圧するように、一端が前記扉体に保持された弾性体と、
前記弾性体を収容する突起部から両側に延在し、その両端で前記弾性体の伸縮状態に連動して、前記ゲート体係止部に係止する又は前記ゲート体係止部から開放される突張り板と、
下端が前記扉体の表面から面外方向に所定距離離れた位置で支点となるように前記扉体に支持され、前記扉体の略中央部で前記突張り板に接合された、前記弾性体の伸縮作用により前記扉体と前記分水口孔との密着を制御するレバーと、
前記扉体の上部に設けられ、前記レバーの位置を固定保持し、前記扉体と前記分水口孔との密着を保持可能なレバー固定部材と、
を備え、
前記弾性体の押圧力により、前記扉体が前記分水口孔を塞ぎ、
前記レバーを、前記レバー固定部材において前記扉体の表面方向に固定することで、前記扉体と前記分水口孔との密着を解除し、
前記レバーを、前記レバー固定部材における前記扉体の表面方向への固定を解除して、前記レバー固定部材において前記扉体の表面から面外方向に固定することで、前記扉体と前記分水口孔との密着を保持する分水ロゲート。
【請求項２】
前記弾性体は圧縮コイルバネであり、前記圧縮コイルバネの付勢力により、前記扉体が前記分水口孔を塞ぐ、
ことを特徴とする請求項１に記載の分水ロゲート。
【請求項３】
前記シール部材は、食害防止剤を備える、
ことを特徴とする請求項１又は２に記載の分水ロゲート。
【発明の詳細な説明】
【技術分野】
【０００１】
本発明は、農業用水路の分水口に設けられる分水口ゲートに関する。
【背景技術】
【０００２】
農業用水路の分水口においては、主水路から分岐水路へ流れ込む水の量を調節する目的で、分水口ゲートが設置される。
【０００３】
従来、分水口ゲートとしては、分水口を覆う板だけの単純な構成のもののほか、さまざまな手段が報告されてきた。
【０００４】
特許文献１には、操作レバーで係止杆を回転させることで、分水口を覆う仕切板を昇降させることのできる分水口ゲートが記載されている。当該分水口ゲートで分水口を閉鎖している状態においては、仕切板に貼設されたシール部材（ゴム材等）が分水口口縁に押圧接触されて、仕切板と分水口との間の水密が保持される。
【先行技術文献】
【特許文献】
【０００５】
【特許文献１】特開平８−１０５０３４号公報
【発明の概要】
【発明が解決しようとする課題】
【０００６】
しかしながら、特許文献１に記載の分水口ゲートでは、係止杆のガイド溝への係止によってシール部材の押圧状態を制御するため、シール部材の分水口口縁への押圧が不十分である場合があった。その結果、分水口の閉鎖時に主水路から分岐水路に漏水する可能性があるという点で課題を残していた。
【０００７】
本発明は、上記事情に鑑みてなされたものであり、簡便に分水口の開放及び閉鎖を行うことができ、かつ十分な押圧力でシール部材を密着させることによって分水口の閉鎖時の漏水を防止することのできる分水口ゲートを提供することを目的とする。
【課題を解決するための手段】
【０００８】
上記目的を達成するため、本発明の分水口ゲートは、
農業用水路の分水口に設けられる、ガイド部材と、前記ガイド部材により支持されたゲート体と、からなる分水ロゲートであって、
前記ガイド部材は、分水口孔と、両側端にゲート体係止部と、を備え、
前記ゲート体は、
前記分水口孔を塞ぎ、前記分水口孔を塞ぐ面に前記分水口孔の縁に密着するシール部材が固着された扉体と、
前記扉体を前記分水口孔に押圧するように、一端が前記扉体に保持された弾性体と、
前記弾性体を収容する突起部から両側に延在し、その両端で前記弾性体の伸縮状態に連動して、前記ゲート体係止部に係止する又は前記ゲート体係止部から開放される突張り板と、
下端が前記扉体の表面から面外方向に所定距離離れた位置で支点となるように前記扉体に支持され、前記扉体の略中央部で前記突張り板に接合された、前記弾性体の伸縮作用により前記扉体と前記分水口孔との密着を制御するレバーと、
前記扉体の上部に設けられ、前記レバーの位置を固定保持し、前記扉体と前記分水口孔との密着を保持可能なレバー固定部材と、
を備え、
前記弾性体の押圧力により、前記扉体が前記分水口孔を塞ぎ、
前記レバーを、前記レバー固定部材において前記扉体の表面方向に固定することで、前記扉体と前記分水口孔との密着を解除し、
前記レバーを、前記レバー固定部材における前記扉体の表面方向への固定を解除して、前記レバー固定部材において前記扉体の表面から面外方向に固定することで、前記扉体と前記分水口孔との密着を保持する。
【０００９】
前記弾性体は圧縮コイルバネであり、前記圧縮コイルバネの付勢力により、前記扉体が前記分水口孔を塞いでもよい。
【００１０】
前記シール部材は、食害防止剤を備えていてもよい。
【発明の効果】
【００１１】
本発明によれば、簡便に分水口の開放及び閉鎖を行うことができ、かつ十分な押圧力でシール部材を密着させることによって分水口の閉鎖時の漏水を防止することのできる分水口ゲートを提供することができる。
【図面の簡単な説明】
【００１２】
【図１】本発明の一実施形態による分水口ゲートを農業用水路壁面の分水口に取り付けた状態を模式的に示す斜視図である。（ａ）はゲート体をガイド部材の上部にずらして固定し、分水口を開放させた状態の図、（ｂ）はゲート体をガイド部材の下部にずらして固定し、分水口を閉鎖させた状態の図である。
【図２】ガイド部材を模式的に示す正面図である。
【図３】（ａ）はゲート体を模式的に示す正面図、（ｂ）はゲート体を模式的に示す側面図、（ｃ）はゲート体を模式的に示す背面図、（ｄ）は突張り板、圧縮コイルバネ、扉体、及びシール部材を模式的に示す上面図、（ｅ）はレバー固定部材を模式的に示す上面図である。
【図４】（ａ）は突張り板解放時の分水口ゲートを模式的に示す上面図であり、（ｂ）は突張り板解放時のゲート体を模式的に示す側面図である。
【図５】（ａ）は突張り板係止時の分水口ゲートを模式的に示す上面図であり、（ｂ）は突張り板係止時のゲート体を模式的に示す側面図である。
【図６】シール部材の縁に空洞を形成し、シール部材にさらに板を貼設した場合を模式的に示す側面図である。
【図７】突張り板の両端に窪みを形成させた場合を模式的に示す上面図である。
【図８】ガイド部材に網を取り付けた場合を模式的に示す斜視図である。
【発明を実施するための形態】
【００１３】
以下、本発明の実施形態に係る分水口ゲート１００を、図面を参照して説明する。
【００１４】
図１〜図３に示すように、本発明の実施形態に係る分水口ゲート１００は、農業用水路のトラフ２３０の分水口２１０に設けられるものであって、ガイド部材１１０と、ガイド部材１１０の両側端のゲート体係止部１１０ｃにより支持されたゲート体１２０と、を備える。
【００１５】
ガイド部材１１０は、図１，図２に示すように、農業用水路の分水口２１０の箇所に配置される。ガイド部材１１０の形状は略矩形をなし、その両側端にはコ字形状のゲート体係止部１１０ｃが形成され、下部には分水口２１０の大きさに応じた円形の分水口孔１１０ａが形成されている（図２）。ゲート体係止部１１０ｃは、後述するように、突張り板１４０を係止させるために備えられる。ガイド部材１１０は、孔１００ｂを介してトラフ２３０の内壁にボルト（図示せず）によって固定されている。ガイド部材１１０は、後述するように、ゲート体１２０の昇降の際にガイドとなる役割、及び突張り板１４０を係止させる役割を有する。
【００１６】
ゲート体１２０は、図１，図３に示すように、分水口孔１１０ａを塞ぐ扉体１６０と、扉体１６０を分水口孔１１０ａに押圧するように扉体１６０に保持された弾性体としての圧縮コイルバネ１５０と、圧縮コイルバネ１５０の伸縮状態に連動するように圧縮コイルバネ１５０に取り付けられ、ゲート体係止部１１０ｃにより両端が支持された突張り板１４０と、突張り板１４０の略中央部に接合された、圧縮コイルバネ１５０の伸縮状態を制御するレバー１３０と、扉体１６０の上部に設けられ、レバー１３０の位置を固定保持するレバー固定部材１８０と、を備える。
【００１７】
扉体１６０は、図１，図３に示すように、矩形状をなし、その両端は、突張り板１４０とともに、ガイド部材１１０のゲート体係止部１１０ｃ内に収容される。扉体１６０には、後述するように、圧縮コイルバネ１５０の一端が保持されており、圧縮コイルバネ１５０の押圧力（付勢力）により、分水口２１０の閉鎖時に、分水口孔１１０ａの縁に後述するシール部材１７０を密着させる役割を果たす。
【００１８】
図３に示すように、扉体１６０の分水口孔１１０ａを塞ぐ面には、シール部材１７０が固着されている。シール部材１７０は、合成ゴム製であり、図３（ｃ）に示すように、扉体１６０の分水口２１０側にリング状に貼設されている。シール部材１７０は、外側に形成された隆起部１７０ａと、密着部１７０ａの内周に沿って形成された平面部１７０ｂと、を有する（図３（ｃ），（ｄ））。シール部材１７０の隆起部１７０ａは、分水口２１０の閉鎖時に、分水口孔１１０ａの縁に押圧されることで密着して、分水口２１０への漏水を防止する役割を有する。なお、シール部材１７０の材質については、分水口２１０への漏水が防止できる材質であれば適宜選択され、例えば、合成ゴムの他に、シリコーンゴム等が列挙される。
【００１９】
圧縮コイルバネ１５０の一端は、図３（ｄ）に示すように、ボルト１５５を介して扉体１６０側に保持される。扉体１６０に取り付けられているボルト１５５は、突張り板１４０の突起部１４０ａに摺動可能に貫通しており、扉体１６０側のボルト１５５端に圧縮コイルバネ１５０の一端が保持されている。圧縮コイルバネ１５０の他端は、突起部１４０ａの内側に保持されており、圧縮コイルバネ１５０は、突起部１４０ａの内側に収容されている。突張り板１４０がガイド部材１１０の内側に係止された状態では、圧縮コイルバネ１５０が戻ろうとする力、すなわち付勢力が生じる。扉体１６０は、この付勢力によって分水口孔１１０ａに押圧される。なお、弾性体としては、圧縮コイルバネに代えて、ゴムリングバネ等も使用することができる。
【００２０】
突張り板１４０は、図１，図３に示すように、平面視して対称クランク形状をなし、その略中央部にはコ字形状の突起部１４０ａが設けられる。突起部１４０ａの外側には、レバー１３０が接合されており（図３（ｄ））、突起部１４０ａとレバー１３０との連結部分にボルト１５５が摺動可能に貫通している。突張り板１４０の両端は、ガイド部材１１０のゲート体係止部１１０ｃ内に収容される。突張り板１４０は、ガイド部材１１０の内側に係止されるように固定されることで、前述の通り、圧縮コイルバネ１５０に付勢力が生じ、この付勢力によって扉体１６０は分水口孔１１０ａに押圧される。
【００２１】
レバー１３０は、図１，図３に示すように、円棒状をなし、突張り板１４０の突起部１４０ａに接合される（図３（ｄ））。前述の通り、レバー１３０と突起部１４０ａとの連結部分にボルト１５５が摺動可能に貫通している。また、レバー１３０の下端部近傍は、後述するように、支点部材１９０を介して扉体１６０に連結される。レバー１３０の操作性を向上させるために、レバー１３０の上端には、持ち手１３０ａが取り付けられる。レバー１３０は、後述するように、突張り板１４０のゲート体係止部１１０ｃ内への係止及びゲート体係止部１１０ｃからの開放を行う役割を有する。
【００２２】
レバー固定部材１８０は、図１，図３に示すように、台形型の形状をなし、Ｌ字状の孔１８０ａ（図３（ｅ））を有する。レバー固定部材１８０は、扉体１６０の上部に設けられ、孔１８０ａ内にはレバー１３０が貫通する。レバー固定部材１８０は、レバー１３０の位置を固定保持させる役割を有し、扉体１６０の分水口孔１１０ａへの押圧が解除された状態を固定保持させることができる。
【００２３】
図１，図３に示すように、レバー１３０の下端部近傍には、円棒状の支点部材１９０が摺動可能に貫通するように取り付けられる。支点部材１９０の一端は、上記の通り、レバー１３０に取り付けられ、支点部材１９０の他端は扉体１６０に連結されている（図３（ｂ））。支点部材１９０は、レバー１３０を操作する際の支点となる役割を有する。
【００２４】
分水口ゲート１００の各部材（圧縮コイルバネ１５０及びシール部材１７０を除く）の材質としては、機械的強度及び防錆性の観点から、ステンレススチールが用いられる。なお、分水口ゲートとしての機械的強度を維持することのできる、メッキ等の防錆加工が施された一般鋼材を使用してもよい。
【００２５】
分水口ゲート１００の使用方法について、以下に説明する。
【００２６】
（ゲート体１２０のガイド部材１１０への挿入）
まず、図１に示すように、ガイド部材１１０にゲート体１２０を挿入する。この際、レバー１３０を、レバー固定部材１８０の孔１８０ａにおいて扉体１６０側に倒して固定する（図４（ａ））。そして、ガイド部材１１０の上方から、ゲート体係止部１１０ｃ内にゲート体１２０をはめこむ。
【００２７】
（ゲート体１２０の位置合わせ）
次に、レバー１３０を持ってゲート体１２０をガイド部材１１０に沿って昇降させ、ガイド部材１１０における所望の位置に合わせる。この際、分水口２１０を開放したい場合には、扉体１６０を分水口孔１１０ａの位置よりも上になるようにゲート体１２０を引き上げ（図１（ａ））、一方、分水口２１０を閉鎖したい場合には、扉体１６０が分水口孔１１０ａを塞ぐようにゲート体１２０を位置合わせする（図１（ｂ））。また、分水口２１０を例えば半分だけ開放したい場合には、扉体１６０が分水口孔１１０ａを半分塞ぐようにゲート体１２０を位置合わせする。このようにして、ゲート体１２０をガイド部材１１０に沿って昇降させ、所望の位置に合わせる。
【００２８】
（ゲート体１２０の固定）
前述のように、ゲート体１２０をガイド部材１１０に沿って昇降させて所望の位置に合わせた後は、ゲート体１２０をガイド部材１１０に固定させる。そのためには、孔１８０ａにおけるレバー１３０の固定を解除する（図５（ａ））。そうすると、レバー１３０によって圧縮コイルバネ１５０の圧縮されていた状態が解除され、圧縮コイルバネ１５０の付勢力によって突張り板１４０と扉体１６０との間の距離が大きくなる（図５（ａ），（ｂ））。その結果、突張り板１４０は、ゲート体係止部１１０ｃ内で係止された状態となり（図５（ａ））、ガイド部材１１０における所望の位置でゲート体１２０が固定されることとなる。
【００２９】
（ゲート体１２０の固定位置の変更）
ガイド部材１１０におけるゲート体１２０の固定位置を変える手順について、以下に説明する。レバー１３０を、レバー固定部材１８０の孔１８０ａにおいて扉体１６０側に倒す（図４（ａ））。そうすると、レバー１３０により圧縮コイルバネ１５０が扉体１６０側に押され、圧縮コイルバネ１５０が圧縮され、突張り板１４０と扉体１６０との間の距離が小さくなる（図４（ａ），（ｂ））。その結果、突張り板１４０がゲート体係止部１１０ｃ内で係止されていない、開放された状態となり（図４（ａ））、ゲート体１２０をガイド部材１１０に沿って昇降させることができるようになる。ゲート体１２０の昇降及び位置合わせの手順については、前述の通りである。
【００３０】
本発明の実施形態に係る分水口ゲート１００は、レバー１３０を操作するだけで、圧縮コイルバネ１５０を容易に伸縮させることできるため、突張り板１４０のゲート体係止部１１０ｃ内における係止及び開放を容易に行うことができる。その結果、簡便にゲート体１２０をガイド部材１１０に沿って昇降させることができ、また、簡便にガイド部材１１０における所望の位置でゲート体１２０を固定させることができる。したがって、本発明の実施形態に係る分水口ゲート１００を用いることで、簡便に分水口の開放（部分的な開放を含む）及び閉鎖を行うことができる。
【００３１】
また、本発明の実施形態に係る分水口ゲート１００を用いることで、分水口２１０の閉鎖時においては、圧縮コイルバネ１５０の付勢力により、扉体１６０が分水口孔１１０ａに十分に押圧される。さらに、扉体１６０に固着されたシール部材１７０は、圧縮コイルバネ１５０による十分な付勢力で、分水口孔１１０ａの縁に、強固に密着される。したがって、圧縮コイルバネ１５０及びシール部材１７０の両方を備える、本発明の実施形態に係る分水口ゲート１００を用いることで、分水口の閉鎖時の漏水を確実に防止することができる。また、シール部材１７０が劣化した場合でも、本発明の実施形態に係る分水口ゲート１００では、圧縮コイルバネ１５０の付勢力により扉体１６０が分水口孔１１０ａに押圧されるため、分水口の閉鎖時の漏水を十分に防止することができる。
【００３２】
なお、この発明は上記実施の形態に限定されず、種々の変形及び応用が可能である。例えば、シール部材１７０は、ネズミ等による食害を防止する目的で、食害防止剤を備えていてもよい。この場合、例えば図６に示すように、シール部材１７０に空洞１７０ｃを形成させ、その中に食害防止剤を封入させる。食害防止剤としては、トウガラシ成分（カプサイシン）、シクロヘキシミド等が例示されるが、田畑の汚染防止の観点から、自然由来成分であることが好ましく、トウガラシ成分（カプサイシン）が好適に用いられ得る。
【００３３】
また、本実施形態では、図３〜図５で示したように、扉体１６０にシール部材１７０を単に固着させた形態について説明したが、図６に示すように、シール部材１７０の平面部１７０ｂに被せるようにステンレス製の板１７０ｄをさらに貼設してもよい。こうすることで、シール部材１７０が扉体１６０と板１７０ｄとの間に挟まれることとなり、シール部材１７０をより強固に扉体１６０に接着させることができる。
【００３４】
また、本実施形態では、図３〜図５で示したように、突張り板１４０の両端が平らな形状を有する形態について説明したが、図７に示すように、突張り板１４０の両端が窪み１４０ｂを有していてもよい。こうすることで、突張り板１４０の両端は、ゲート体係止部１１０ｃ内により確実に係止されるようになる。
【００３５】
また、本実施形態では、図１，図２で示したように、ガイド部材１１０を、孔１１０ｂを介してボルト（図示せず）で固定することで分水口２１０に設ける形態について説明したが、ガイド部材１１０は、あらかじめトラフ２３０中において分水口２１０の箇所にコンクリート等で埋設されていてもよい。
【００３６】
また、本実施形態では、図１〜図３で示したように、円形の分水口２１０に応じて、ガイド部材１１０の分水口孔１１０ａを円形とし、シール部材１７０の形状をリング状とする形態について説明したが、分水口２１０の形状が例えば矩形型であれば、それに応じて孔１１０ａ及びシール部材１７０の形状を矩形型としてもよい。
【００３７】
また、本実施形態では、図３（ｅ）で示したように、Ｌ字型の孔１８０ａを有するレバー固定部材１８０の形態について説明したが、レバー固定部材１８０の孔の形状を例えば楕円形とし、レバー１３０を扉体１６０側に倒した際にレバー１３０を固定するためのストッパー（図示せず）を備えてもよい。
【００３８】
また、本実施形態では、図３（ｄ）で示したように、コ字状の突起部１４０ａが形成された突張り板１４０の形態について説明したが、突起部１４０ａ内に圧縮コイルバネ１５０を収容できる形状の突起部１４０ａを備える突張り板１４０であれば用いることができ、例えば突起部１４０ａの形状は半円型でもよい。
【００３９】
また、図８で示すように、農業用水路内のゴミが分水口孔１１０ａやゲート体係止部１１０ｃの内側等につまることを防止する目的で、ガイド部材１１０に網２４０を取り付けてもよい。
【符号の説明】
【００４０】
１００  分水口ゲート
１１０  ガイド部材
１１０ａ  分水口孔
１２０  ゲート体
１３０  レバー
１４０  突張り板
１５０  圧縮コイルバネ
１６０  扉体
１７０  シール部材
１８０  レバー固定部材
１９０  支点部材
２１０  分水口
２２０  分岐管
２３０  トラフ
【図１】
0005642743.tif 000002
【図２】
0005642743.tif 000003
【図３】
0005642743.tif 000004
【図４】
0005642743.tif 000005
【図５】
0005642743.tif 000006
【図６】
0005642743.tif 000007
【図７】
0005642743.tif 000008
【図８】
0005642743.tif 000009